(57)【要約】【課題】指紋を照合するのみよりセキュリティを強化できる電子機器を提供する。【解決手段】本発明に係る電子機器11は、ある機能に設定されたロックを解除できる電子機器11において、指紋データを取得する指紋取得部101と、ユーザの指の接触を検出する接触検出部103と、接触検出部103に接触している指に対して触感を呈示する触感呈示部107と、指紋データを記憶する記憶部109と、所定の触感を含む複数の種類の触感を個々に指に呈示するように触感呈示部107を制御する制御部113とを備え、制御部113は、指紋取得部101により取得された指紋データが記憶している指紋データに一致し、且つ指紋データが取得される直前に触感呈示部107に呈示させた触感が所定の触感である場合、ロックを解除する電子機器11である。【選択図】図１
2016009444.tif 000002
【特許請求の範囲】
【請求項１】
ある機能に設定されたロックを解除できる電子機器において、
指紋データを取得する指紋取得部と、
ユーザの指の接触を検出する接触検出部と、
前記接触検出部に接触している指に対して触感を呈示する触感呈示部と、
指紋データを記憶する記憶部と、
所定の触感を含む複数の種類の触感を個々に前記指に呈示するように前記触感呈示部を制御する制御部とを備え、
前記制御部は、前記指紋取得部により取得された指紋データが前記記憶している指紋データに一致し、且つ指紋データが取得される直前に前記触感呈示部に呈示させた触感が前記所定の触感である場合、前記ロックを解除する
電子機器。
【請求項２】
請求項１に記載の電子機器において、
当該電子機器は、前記接触検出部に対する押圧荷重を検出する荷重検出部を更に備え、
前記制御部は、
前記荷重検出部により検出される押圧荷重に応じて、前記指に呈示される触感が変わるように前記触感呈示部を制御し、
前記押圧荷重が所定の荷重基準を満たした場合、前記所定の触感を呈示するように前記触感呈示部を制御する
ことを特徴とする電子機器。
【請求項３】
請求項１に記載の電子機器において、前記制御部は、
前記接触検出部により前記接触が検出され続ける時間に応じて、前記指に呈示される触感が変わるように前記触感呈示部を制御し、
前記時間が所定の時間基準を満たした場合、前記所定の触感を呈示するように前記触感呈示部を制御する
ことを特徴とする電子機器。
【請求項４】
請求項１に記載の電子機器において、前記制御部は、前記複数の種類の触感をランダムに呈示するように前記触感呈示部を制御することを特徴とする電子機器。
【発明の詳細な説明】
【技術分野】
【０００１】
本発明は、電子機器に関するものである。
【背景技術】
【０００２】
個人情報を扱う電子機器等では、ユーザの本人確認を行うために、暗証番号入力又はパスワード入力を求める機能や生体認証機能など様々なものが利用されている。生体認証には、指紋、網膜、血管等の身体的特徴を利用する方法や手書きによる署名やまばたき等の行動的特徴を利用する方法が存在する。
【０００３】
以下、従来の指紋認証機能を備える電子機器（携帯端末）について説明する（例えば、特許文献１参照）。当該携帯端末の使用者が、携帯端末の入力手段に指を押し付けると、指紋センサが指紋を検出する。そして、検出された指紋が、予め登録された正当な携帯端末使用者の指紋に一致すれば、使用者は正当な携帯端末使用者であると認証され、使用者は、ロックが設定されている非接触型ＩＣカード機能を利用することができる。また、検出された指紋が登録された指紋と一致しない場合は、使用者は、非接触型ＩＣカード機能を利用できない。
【先行技術文献】
【特許文献】
【０００４】
【特許文献１】特開２００６−１５５２６１号公報
【発明の概要】
【発明が解決しようとする課題】
【０００５】
しかし、従来の指紋認証機能を備える携帯端末では、指紋認証のみにより、ロックが解除される。そのため、正当な使用者ではない他人が、正当な使用者の指紋を入手すると、ロックは解除されてしまう。特に携帯端末は、銀行のＡＴＭ（Automated Teller Machine）や駅の券売機などと異なり、持ち運ぶことが可能であるため、例えば、正当な使用者が寝ている間に、他人が正当な使用者の指を当該携帯端末に押し付けることにより、ロックが解除される恐れがある。
【０００６】
従って、上記のような従来技術の問題点に鑑みてなされた本発明の目的は、指紋を照合するのみよりセキュリティを強化できる電子機器を提供することにある。
【課題を解決するための手段】
【０００７】
上述した諸課題を解決すべく、第１の観点に係る電子機器の発明は、
ある機能に設定されたロックを解除できる電子機器において、
指紋データを取得する指紋取得部と、
ユーザの指の接触を検出する接触検出部と、
前記接触検出部に接触している指に対して触感を呈示する触感呈示部と、
指紋データを記憶する記憶部と、
所定の触感を含む複数の種類の触感を個々に前記指に呈示するように前記触感呈示部を制御する制御部とを備え、
前記制御部は、前記指紋取得部により取得された指紋データが前記記憶している指紋データに一致し、且つ指紋データが取得される直前に前記触感呈示部に呈示させた触感が前記所定の触感である場合、前記ロックを解除する
電子機器である。
【０００８】
また、第２の観点に係る発明は、第１の観点に係る電子機器において、
当該電子機器は、前記接触検出部に対する押圧荷重を検出する荷重検出部を更に備え、
前記制御部は、
前記荷重検出部により検出される押圧荷重に応じて、前記指に呈示される触感が変わるように前記触感呈示部を制御し、
前記押圧荷重が所定の荷重基準を満たした場合、前記所定の触感を呈示するように前記触感呈示部を制御する
ことを特徴とするものである。
【０００９】
また、第３の観点に係る発明は、第１の観点に係る電子機器において、前記制御部は、
前記接触検出部により前記接触が検出され続ける時間に応じて、前記指に呈示される触感が変わるように前記触感呈示部を制御し、
前記時間が所定の時間基準を満たした場合、前記所定の触感を呈示するように前記触感呈示部を制御する
ことを特徴とするものである。
【００１０】
また、第４の観点に係る発明は、第１の観点に係る電子機器において、前記制御部は、前記複数の種類の触感をランダムに呈示するように前記触感呈示部を制御することを特徴とするものである。
【発明の効果】
【００１１】
上記のように構成された本発明にかかる電子機器によれば、指紋及び触感に基づき、ロックが解除されるため、セキュリティを強化することができる。
【図面の簡単な説明】
【００１２】
【図１】図１は、本発明の第１実施形態に係る概略的な電子機器の正面図及び背面図である。
【図２】図２は、本発明の第１実施形態に係る電子機器の概略構成を示す機能ブロック図である。
【図３】図３は、図１の電子機器が行う処理を示すフローチャートである。
【図４】図４は、図１の電子機器とユーザの指との接触を示す図である。
【図５】図５は、接触の継続時間と触感との対応関係を示す図である。
【図６】図６は、図１の電子機器に接触するユーザの指の動きを示す図である。
【図７】図７は、押圧荷重と触感との対応関係を示す図である。
【図８】図８は、本発明の第２実施形態に係る概略的な電子機器の背面図である。
【図９】図９は、図８の電子機器が行う処理を示すフローチャートである。
【発明を実施するための形態】
【００１３】
以下、本発明に係る実施形態について、図面を参照して説明する。
【００１４】
（第１実施形態）
図１は、本発明の第１実施形態に係る概略的な電子機器の正面図及び背面図である。本発明の電子機器１１の一例としては、スマートフォン（携帯電話端末）、パーソナルコンピュータ、ＰＤＡ（Personal Digital Assistant）、携帯音楽プレイヤー、携帯テレビ、携帯ゲーム機が挙げられる。以下、電子機器１１としてスマートフォンを想定して説明する。この電子機器１１は、機能毎にロックの設定及び解除が可能なものである。
【００１５】
ロックの設定が可能なことにより、ユーザの利便性が向上する電子機器１１の機能は、例えば、非接触型ＩＣカード機能、アドレス帳機能、メモ帳機能、メール機能、通信機能、スクリーンロック機能がある。なお、ロックの設定及び解除の対象は、機能自体（つまり、機能の初期起動）のみならず、当該機能の個別の処理（例えば、メール機能における送信処理）も含まれるとする。
【００１６】
電子機器１１の正面には、タッチパネル１００が設けられている。タッチパネル１００には、ユーザにより起動された機能に対応するグラフィカルユーザインタフェース等が表示され、ユーザは、タッチパネル１００へ指やスタイラスペン等を接触させることにより、起動した機能を利用できる。
【００１７】
電子機器１１の背面には、ユーザが接触させた指の指紋のデータ（指紋データ）を取得する指紋取得部１０１と、ユーザの指が接触し、当該接触に応じて振動する接触検出部１０３とが設けられている。本実施形態では、図１のように接触検出部１０３の一部の領域に指紋取得部１０１が位置しているとする。電子機器１１は、更に、接触検出部１０３に指を接触させているユーザを撮像する撮像部１１１を備えることもできる。
【００１８】
図２は、本発明の第１実施形態に係る電子機器の概略構成を示す機能ブロック図である。電子機器１１は、指紋認証を行うために、指紋取得部１０１と、接触検出部１０３と、荷重検出部１０５と、触感呈示部１０７と、記憶部１０９と、撮像部１１１と、制御部１１３とを有する。指紋取得部１０１と、接触検出部１０３と、荷重検出部１０５と、触感呈示部１０７と、記憶部１０９と、撮像部１１１とは、それぞれ制御部１１３に接続されている。
【００１９】
指紋取得部１０１は、ユーザの指の指紋データを取得するためのもので、例えば、光学式、半導体式（例えば、静電式、感熱式、電界式）等の公知のもので構成される。指紋取得部１０１は、取得した指紋データ（以下、検証指紋データと称する）を後述する制御部１１３に送る。
【００２０】
接触検出部１０３は、指紋取得部１０１を含み、ユーザの指による接触を検出するものであり、例えば、タッチパネルにより構成することができる。接触検出部１０３は、接触を検出すると、当該接触の位置に関する接触位置情報を制御部１１３に出力する。接触検出部１０３がタッチパネルである場合、当該タッチパネルは、抵抗膜方式、静電容量方式、光学式等の公知の方式のもので構成される。なお、接触検出部１０３が接触を検出する上で、指が接触検出部１０３を物理的に接触することは必須ではない。例えば、接触検出部１０３が光学式である場合は、接触検出部１０３は接触検出部１０３上の赤外線が指で遮られた位置を検出するため、指が接触検出部１０３を接触することは不要である。
【００２１】
荷重検出部１０５は、接触検出部１０３に対する押圧荷重を検出するもので、例えば、歪みゲージセンサや圧電素子などの荷重に対して線形に反応する素子を用いて構成される。
【００２２】
触感呈示部１０７は、接触検出部１０３を振動させ、接触検出部１０３に接触しているユーザの指に触感を呈示するもので、例えば、圧電素子などの振動素子を用いて構成される。例えば、触感呈示部１０７が接触検出部１０３に配設されることにより、触感呈示部１０７は、接触検出部１０３を直接的に振動させる。触感呈示部１０７は、後述する制御部１１３の制御により、所定の触感を含む複数の種類の触感を個々に呈示する。触感呈示部１０７は、周波数、周期（波長）、振幅、波形などのパラメータの値を変化させることにより、複数の種類の触感を実現することができる。所定の触感とは、ロックを解除するために、指紋取得部１０１による指紋データの取得前に呈示されるべき触感であり、電子機器１１の正当なユーザにより予め定められるものである。
【００２３】
触感呈示部１０７が呈示する複数の種類の触感には、単なる振動だけではなく、機械的なキーを押した際に感じられるカチッとした硬質的な触感（リアルなクリック感）も含まれうる。触感を呈示する条件（例えば、押圧荷重が１Ｎ[ニュートン]を超えること）を設定することにより、この条件を満たすまでは、ユーザの圧覚を刺激し、条件を満たすと、触感呈示部１０７が接触検出部１０３を振動させてユーザの触覚を刺激することが可能になる。このように、ユーザの圧覚と触覚を刺激することにより、カチッとした硬質的な触感をユーザに呈示できる。接触検出部１０３自体は、接触されても機械的なキーのように物理的に変位しないが、上記のような触感を指に呈示することにより、ユーザは、機械的なキーを操作した場合と同様のリアルなクリック感を得ることができる。カチッとした硬質的な触感は、例えば140Hz〜500Hzのサイン波を１周期又は矩形波を１周期呈示することにより実現できる。
【００２４】
なお、荷重検出部１０５及び触感呈示部１０７が圧電素子を用いて構成される場合には、圧電素子を共用して、荷重検出部１０５及び触感呈示部１０７を構成することができる。圧電素子は、圧力が加わると電力を発生し、電力が加えられると変形するためである。
【００２５】
記憶部１０９は、公知技術によるメモリで構成することができ、正当な指紋データや触感呈示部１０７が呈示する複数の種類の触感を実現するパラメータの値などを記憶するとともに、ワークメモリ等としても機能する。正当な指紋データとは、電子機器１１の正当なユーザの指紋データである。
【００２６】
撮像部１１１は、接触検出部１０３に指を接触させているユーザを撮像するもので、例えばカメラである。
【００２７】
制御部１１３は、電子機器１１の各機能ブロックをはじめとして電子機器１１の全体を制御及び管理する。ここで、制御部１１３は、ＣＰＵ（中央処理装置）等の任意の好適なプロセッサ上で実行されるソフトウェアとして構成したり、処理毎に特化した専用のプロセッサ（例えばＤＳＰ（デジタルシグナルプロセッサ））によって構成したりすることができる。
【００２８】
制御部１１３についてより詳細に説明する。制御部１１３は、指紋取得部１０１から送られてきた検証指紋データを記憶部１０９に記憶されている正当な指紋データと一致するか否かを判断する。制御部１１３は、当該判断を、例えば、パターンマッチング方式、特徴点抽出方式、周波数解析方式などの公知な方法で行う。
【００２９】
また、制御部１１３は、触感を呈示するように触感呈示部１０７を制御し、指紋取得部１０１により検証指紋データが取得される直前に触感呈示部１０７に呈示させた触感が所定の触感であるか否かを判断する。検証指紋データが取得される直前の触感とは、制御部１１３が検証指紋データを受け取るまでに触感呈示部１０７に呈示させた触感のうちの最後の触感である。
【００３０】
制御部１１３は、検証指紋データが正当な指紋データと一致し、且つ最後の触感が所定の触感である場合、機能に設定されたロックを解除する。なお、検証指紋データと正当な指紋データとの一致とは、厳密な完全一致に限定されるものではなく、例えば、誤差範囲を予め定め、当該誤差範囲内であるならば、検証指紋データと正当な指紋データとは一致するとみなすことができる。制御部１１３の行うその他の処理については、後述の図３の説明にて詳述する。
【００３１】
以下、電子機器１１がロックを解除する場合について図３を用いて説明する。図３は、図１の電子機器が行う処理を示すフローチャートである。なお、本実施形態では、指紋取得部１０１は、指紋取得部１０１上への指の接触が接触検出部１０３により検出されると、当該指の指紋データの取得を開始するものとする。
【００３２】
ユーザは、ある機能に設定されたロックを解除するために、図４のように、指紋取得部１０１の領域以外の接触検出部１０３の領域に指１２１を接触させる。すると、接触検出部１０３が、当該接触を検出する（ステップＳ１０１）。接触検出部１０３は、接触位置情報を制御部１１３に送る。
【００３３】
制御部１１３は、接触検出部１０３から受け取る接触位置情報より、接触検出部１０３への指の接触を認識すると、所定の触感を含む複数の種類の触感を個々に指に呈示するように触感呈示部１０７を制御する（ステップＳ１０２）。制御部１１３は、複数の種類の触感を、予め定められた順番で呈示するように触感呈示部１０７を制御することができる。例えば、制御部１１３は、図５のように、呈示される触感の順番を接触検出部１０３により接触が検出され続けている時間に対応させることができる。つまり、制御部１１３は、接触検出部１０３により接触が検出され続けている時間（接触の継続時間）に応じて、指に呈示される触感が変わるように触感呈示部１０７を制御することができる。接触の継続時間の測定は、例えばＲＴＣ（Real Time Clock：リアルタイムクロック）の利用により実現できる。
【００３４】
図５では、制御部１１３は、接触の継続時間に関する３つの時間範囲ｔｒ１、ｔｒ２及びｔｒ３を設定している。時間範囲ｔｒ１は閾値ｔ１以上閾値ｔ２未満、時間範囲ｔｒ２は閾値ｔ２以上閾値ｔ３未満、時間範囲ｔｒ３は閾値ｔ３以上閾値ｔ４未満である。そして、時間範囲ｔｒ１には２周期の正弦波で実現される触感（触感１）が、時間範囲ｔｒ２には２周期の矩形波で実現される触感（触感２）が、時間範囲ｔｒ３には１周期の正弦波と１周期の矩形波とで実現される触感（触感３）が割り当てられている。これにより、接触の継続時間が長くなるに従い、制御部１１３は、触感１、触感２、触感３の順番で呈示するように触感呈示部１０７を制御することになる。
【００３５】
なお、図５の時間範囲設定では、閾値ｔ１は時間範囲ｔｒ１に、閾値ｔ２は時間範囲ｔｒ２に、閾値ｔ３は時間範囲ｔｒ３にそれぞれ属することになっているが、本発明は、この態様に限定されるものではない。閾値がいずれかの時間範囲に属するかは、任意に設定できる事項であり、例えば、時間範囲ｔｒ１を閾値ｔ１よりも大きく閾値ｔ２以下の範囲と設定することもできる。また、本発明は、時間範囲が３つであることに限定されるものではなく、指に呈示される触感の種類に応じて時間範囲を２つ以上設けることができる。
【００３６】
また、制御部１１３は、接触の継続時間とは関係なく、ランダムに複数の触感を呈示するように触感呈示部１０７を制御することもできる。更に、制御部１１３は、指に既に呈示された触感を周期的又は非周期的に繰り返して呈示するように触感呈示部１０７を制御することもできる。更に、制御部１１３は、触感呈示部１０７にある触感を呈示させてから次の触感を呈示させるまでに、時間的間隔を置くことができ、又、例えば図５のように時間的間隔を置かないこともできる。
【００３７】
ステップＳ１０２において、ユーザは、指を通じて所定の触感を感じるまで、接触検出部１０３に接触し続ける。制御部１１３が接触の継続時間に応じて触感を変化させる場合、当該継続時間が所定の時間基準を満たすと、所定の触感を呈示するように触感呈示部１０７を制御することができる。所定の時間基準とは、所定の触感が呈示されるための条件である。例えば、所定の触感が図５の時間範囲ｔｒ２に割り当てられた触感である場合、所定の時間基準とは、継続時間が時間範囲ｔｒ２（閾値ｔ２以上閾値ｔ３未満）に位置することである。つまり、ユーザは、所定の時間基準を満たす時間だけ、指を接触検出部１０３に接触させ続けることになる。
【００３８】
そして、ユーザは、所定の触感を感じると、図６のように、接触検出部１０３に接触させながら、指紋取得部１０１の方向に指１２１をずらす（スライドさせる）。接触検出部１０３の接触位置情報が指紋取得部１０１上の領域を示している場合、制御部１１３は、指紋データを取得するように、指紋取得部１０１を制御する（ステップＳ１０３）。
【００３９】
指紋取得部１０１は、指紋データを取得すると、当該指紋データ（検証指紋データ）を制御部１１３に送る。すると、制御部１１３は、記憶部１０９から正当な指紋データを読み出し、検証指紋データが正当な指紋データと一致するか否かを判断する（ステップＳ１０４）。
【００４０】
検証指紋データが正当な指紋データと一致する場合（ステップＳ１０４のＹｅｓ）、制御部１１３は、検証指紋データが取得される直前の触感が所定の触感であるか否かを判断する（ステップＳ１０５）。
【００４１】
直前の触感が所定の触感である場合（ステップＳ１０５のＹｅｓ）、制御部１１３は、ロックを解除する（ステップＳ１０６）。
【００４２】
ステップＳ１０４において、検証指紋データが正当な指紋データと一致しない場合は（ステップＳ１０４のＮｏ）、指紋認証が失敗したことを意味するので、制御部１１３は、警告処理を実行することができる（ステップＳ１０７）。警告処理は、ユーザに指紋認証が失敗した旨を伝えるための処理であり、例えば、タッチパネル１００にユーザに指紋認証が失敗した旨の文字を表示したり、電子機器１１がスピーカ等の音声出力部を有している場合は、指紋認証の失敗に対応する音を出力したりすることができる。正当なユーザによる認証であっても、指の汚れや指紋取得部１０１の汚れ等により、指紋認証が失敗することがある。
【００４３】
なお、正当なユーザではない他人の指紋データが検出された場合には当然、検証指紋データは正当な指紋データと一致しない。他人による指紋認証を防止するために、制御部１１３は、警告処理の代わりに後述するステップＳ１０８の偽装対応処理を実行することもできる。
【００４４】
ステップＳ１０５において、直前の触感が所定の触感ではない場合は（ステップＳ１０５のＮｏ）、ユーザが所定の触感を把握していないことを意味する。つまり、正当なユーザの指紋を不正に入手した者（指紋不正取得者）によって指紋認証が行われていることを意味するので、制御部１１３は、偽装対応処理を実行することができる（ステップＳ１０８）。偽装対応処理とは、指紋不正取得者にこれ以上の操作を困難にするための処理や指紋不正取得者を特定するための処理である。指紋不正取得者にこれ以上の操作を困難にするための処理とは、例えば指紋認証機能自体が無効化されるように、制御部１１３が指紋取得部１０１の機能を停止することである。また、秘密情報の閲覧機能にロックが設定されている場合には、制御部１１３は、秘密情報の記憶場所を変更し、閲覧機能のロックの解除によって秘密情報が公開されないようにすることもできる。指紋不正取得者を特定するための処理とは、例えば制御部１１３が撮像部１１１を制御して指紋不正取得者の顔を撮像することである。なお、制御部１１３は、偽装対応処理の代わりに、ユーザに単に指紋認証が失敗した旨を伝えるステップＳ１０７の警告処理を実行することもできる。
【００４５】
なお、電子機器１１は荷重検出部１０５を備えることができ、この場合、荷重検出部１０５は、接触検出部１０３に指が物理的に接触した時点から、接触検出部１０３に対する押圧荷重を検出し始めることができる。荷重検出部１０５は、検出した押圧荷重を制御部１１３に送る。
【００４６】
制御部１１３は、押圧荷重を荷重検出部１０５から受け取る場合、押圧荷重に応じて、指に呈示される触感が変わるように触感呈示部１０７を制御することができる。例えば、制御部１１３は、図７のように、押圧荷重に関する荷重範囲ｗｒ１、ｗｒ２及びｗｒ３を設定することができる。荷重範囲ｗｒ１は閾値ｗ１以上閾値ｗ２未満、荷重範囲ｗｒ２は閾値ｗ２以上閾値ｗ３未満、荷重範囲ｗｒ３は閾値ｗ３以上閾値ｗ４未満である。そして、荷重範囲ｗｒ１には２周期の正弦波で実現される触感（触感１）が、荷重範囲ｗｒ２には２周期の矩形波で実現される触感（触感２）が、荷重範囲ｗｒ３には１周期の正弦波と１周期の矩形波とで実現される触感（触感３）が割り当てられている。これにより、接触の押圧荷重が大きくなるに従い、制御部１１３は、触感１、触感２、触感３の順番で呈示するように触感呈示部１０７を制御することになる。
【００４７】
なお、図７の荷重範囲設定では、閾値ｗ１は荷重範囲ｗｒ１に、閾値ｗ２は荷重範囲ｗｒ２に、閾値ｗ３は荷重範囲ｗｒ３にそれぞれ属することになっているが、本発明は、この態様に限定されるものではない。閾値がいずれの荷重範囲に属するかは、任意に設定できる事項であり、例えば、荷重範囲ｗｒ１を閾値ｗ１よりも大きく閾値ｗ２以下の範囲と設定することもできる。また、本発明は、荷重範囲が３つであることに限定されるものではなく、指に呈示される触感の種類に応じて荷重範囲を２つ以上設けることができる。
【００４８】
そして、制御部１１３は、押圧荷重が所定の荷重基準を満たした場合、所定の触感を呈示するように触感呈示部１０７を制御することができる。所定の荷重基準とは、所定の触感が呈示されるための条件である。例えば、所定の触感が図７の荷重範囲ｗｒ２に割り当てられた触感である場合、所定の荷重基準とは、押圧荷重が荷重範囲ｗｒ２（閾値ｗ２以上ｗ３未満）に位置することである。ユーザは、押圧荷重の調整により、ロック解除のための所定の触感を得ることができる。
【００４９】
このように本実施形態では、電子機器１１の制御部１１３は、指紋取得部１０１により取得された指紋データ（検証指紋データ）が正当な指紋データに一致し、且つ指紋データが取得される直前に触感呈示部１０７に呈示させた触感が所定の触感である場合、ロックを解除する。つまり、指紋の照合のみでは、ロックは解除されない。正当なユーザ以外の他人がロックを解除するためには、正当なユーザの指紋データのみならず所定の触感も把握しなければならない。触感は、接触検出部１０３が接触している指に伝わるものであり視覚に映るものではないため、正当なユーザのロック解除を覗き見したとしても、他人が把握することはできない。電子機器１１は、ロック解除に触感と指紋の双方の照合を要求するため、セキュリティの強化を実現できる。
【００５０】
また、本実施形態では、制御部１１３は、押圧荷重が所定の荷重基準を満たした場合、所定の触感を呈示するように触感呈示部１０７を制御することができる。これにより、ユーザは、所定の触感が呈示されるために必要な押圧荷重を把握することにより、ユーザが望むタイミングで所定の触感を得ることができる。また、ユーザは、押圧荷重の調整に慣れることにより、ロックを素早く解除することができるようになる。
【００５１】
また、本実施形態では、制御部１１３は、接触が検出され続ける時間（継続時間）が所定の時間基準を満たした場合、所定の触感を呈示するように触感呈示部１０７を制御することができる。これにより、呈示される複数の種類の触感を指先の感覚で区別することが難しいユーザにとっても、所定の触感に対応する継続時間を把握することにより、電子機器１１を利用し易くなる。
【００５２】
また、本実施形態では、制御部１１３は、複数の種類の触感をランダムに呈示するように触感呈示部１０７を制御することができる。指先の感覚によってのみ、複数の触感から所定の触感が特定されるため、他人は押圧荷重や継続時間に着目しても所定の触感を認識することは不可能である。よって、より強固なセキュリティを実現できる。
【００５３】
（第２実施形態）
第１実施形態では、接触検出部１０３の一部の領域に指紋取得部１０１が位置し、指紋取得部１０１への指の接触により、制御部１１３が指紋取得部１０１に指紋データを取得させる場合について説明した。第２実施形態では、接触検出部の領域と指紋取得部の領域とが同じであり、指紋取得部への指の接触のみでは、制御部が指紋取得部に指紋データを取得させない場合について説明する。
【００５４】
図８は、本発明の第２実施形態に係る概略的な電子機器の背面図である。電子機器２１の正面図については、図１に示される電子機器１１の正面図と同じであるため省略する。電子機器２１は、第１実施形態と同様、機能毎にロックの設定及び解除が可能なものである。電子機器２１の背面には、領域を同じにする指紋取得部２０１及び接触検出部２０３が設けられている。また、電子機器２１は、第１実施形態と同様、撮像部２１１を備えることもできる。
【００５５】
電子機器２１は、機能ブロックとして、電子機器１１と同様、指紋取得部２０１と、接触検出部２０３と、荷重検出部２０５と、触感呈示部２０７と、記憶部２０９と、撮像部２１１と、制御部２１３とを有している。指紋取得部２０１と、接触検出部２０３と、荷重検出部２０５と、触感呈示部２０７と、記憶部２０９と、撮像部２１１とは、それぞれ制御部２１３に接続されている。制御部２１３以外の機能部２０１、２０３、２０５、２０７、２０９及び２１１は、それぞれ第１実施形態の機能部１０１、１０３、１０５、１０７、１０９及び１１１と同じ機能を有するので、説明は省略する。制御部２１３の機能については、図９の説明にて詳述する。
【００５６】
ユーザは、ある機能に設定されたロックを解除するために、指紋取得部２０１と領域を共通にする接触検出部２０３の領域に指を接触させる。すると、接触検出部２０３が、当該接触を検出する（ステップＳ２０１）。接触検出部２０３は、接触位置情報を制御部２１３に送る。
【００５７】
荷重検出部２０５は、接触検出部２０３に指が物理的に接触した時点から、接触検出部２０３に対する押圧荷重を検出し始める（ステップＳ２０２）。荷重検出部２０５は、検出した押圧荷重を制御部２１３に送る。
【００５８】
制御部２１３は、接触検出部２０３から受け取る接触位置情報より、接触検出部２０３への指の接触を認識する。そして、制御部２１３は、荷重検出部２０５から受け取る押圧荷重に応じて、指に呈示される触感が変わるように触感呈示部２０７を制御する（ステップＳ２０３）。例えば、制御部２１３は、第１実施形態における図７と同様に、押圧荷重に関する荷重範囲ｗｒ１、ｗｒ２及びｗｒ３を設定し、各荷重範囲に異なる種類の触感を割り当てる。
【００５９】
そして、制御部２１３は、押圧荷重が所定の荷重基準を満たした場合、所定の触感を呈示するように触感呈示部２０７を制御する。例えば、所定の触感が図７の荷重範囲ｗｒ２に割り当てられた触感である場合、所定の荷重基準とは、押圧荷重が荷重範囲ｗｒ２（閾値ｗ２以上ｗ３未満）に位置することである。
【００６０】
続いて、制御部２１３は、押圧荷重が所定の荷重基準を満たし続ける時間が所定の時間基準を満たすか否かを判断する（ステップＳ２０４）。所定の時間基準は、制御部２１３が指紋取得部２０１に指紋データを取得させるための条件であり、例えば、荷重基準が満たされ続ける時間が閾値ｔ５以上になることである。閾値ｔ５は、任意に設定できる事項である。
【００６１】
荷重基準が満たされ続ける時間が所定の時間基準を満たさない場合は（ステップＳ２０４のＮｏ）、制御部２１３は、押圧荷重に応じて、触感呈示部２０７に触感を呈示させる（ステップＳ２０２及びＳ２０３）。
【００６２】
荷重基準が満たされ続ける時間が所定の時間基準を満たす場合（ステップＳ２０４のＹｅｓ）、制御部２１３は、指紋取得部２０１が指紋データ（検証指紋データ）を取得するよう制御する。これにより、指紋取得部２０１は、指紋取得部２０１に接触している指の指紋データを取得する（ステップＳ２０５）。指紋取得部２０１は、指紋データを取得すると、当該指紋データを制御部２１３に送る。なお、本実施形態では、指紋取得部２０１の領域と接触検出部２０３との領域が同じであるため、ユーザは第１実施形態のように接触検出部から指紋取得部へ指をずらす（スライドさせる）必要がない。
【００６３】
制御部２１３は、記憶部２０９から正当な指紋データを読み出し、検証指紋データが正当な指紋データと一致するか否かを判断する（ステップＳ２０６）。検証指紋データが正当な指紋データと一致する場合（ステップＳ２０６のＹｅｓ）、制御部２１３は、ロックを解除する（ステップＳ２０７）。
【００６４】
検証指紋データが正当な指紋データと一致しない場合は（ステップＳ２０６のＮｏ）、制御部２１３は、ロックを解除しない。この場合、制御部２１３は、第１実施形態のステップＳ１０７及びステップＳ１０８の処理のように、警告処理又は偽装対応処理を実行することができる。
【００６５】
このように本実施形態では、電子機器２１の制御部２１３は、押圧荷重が所定の荷重基準を満たし続ける時間が所定の時間基準を満たした場合、指紋データを取得するように指紋取得部２０１を制御する。押圧荷重が所定の荷重基準を満たしている場合、ユーザの指には所定の触感が呈示される。そのため、ユーザは、所定の触感を感じ続けることにより、所定の荷重基準を満たす押圧荷重を維持できる。荷重基準が満たされる時間が所定の時間基準を満たすと、ユーザが指を動かすことなく、指紋データは取得される。よって、正当なユーザ以外の他人は、正当なユーザのロック解除を覗き見したとしても、所定の触感、所定の荷重基準を満たす押圧荷重及び時間基準を満たす接触の継続時間の全てを把握することができない。よって、指紋の照合のみでロックが解除される電子機器に比べ、セキュリティの強化が実現される。
【００６６】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各部材、各手段、各ステップ等に含まれる機能等は論理的に矛盾しないように再配置可能であり、複数の手段やステップ等を１つに組み合わせたり、或いは分割したりすることが可能である。
【００６７】
上述の本発明の実施形態の説明において、例えば、閾値「以上」または閾値「未満」のような表現の技術的思想が意味する内容は必ずしも厳密な意味ではなく、電子機器の仕様に応じて、基準となる閾値を含む場合又は含まない場合の意味を包含するものとする。例えば、閾値「以上」とは、比較対象（接触の継続時間及び押圧荷重）が閾値に達した場合のみならず、閾値を超えた場合も含意し得るものとする。また、例えば閾値「未満」とは、比較対象が閾値を下回った場合のみならず、閾値に達した場合、つまり閾値以下になった場合も含意し得るものとする。
【００６８】
また、上述の本発明の第１及び第２実施形態の説明において、指に呈示される触感が所定の触感と一致するか否かの触感条件と検証指紋データが正当な指紋データとが一致するか否かの指紋条件がそれぞれ１回満たされるとロックが解除されるとして説明した。しかし、本発明は、ロックの解除のために満たされなければならない条件の回数が１回に限定されるものではなく、複数回とすることができる。例えば、触感条件と指紋条件とがそれぞれ１回満たされた後、更にもう１回ずつ触感条件と指紋条件とが満たされた場合に、制御部はロックを解除することができる。なお、２回目の触感条件では、所定の触感を１回目の触感条件と変えることもできる。この場合、正当なユーザは、どの順番で触感を得る必要があるかを予め把握しておく必要がある。満足されるべき触感条件と指紋条件との回数を増やす分、セキュリティはより強固なものになる。
【符号の説明】
【００６９】
１１    電子機器
１００  タッチパネル
１０１  指紋取得部
１０３  接触検出部
１０５  荷重検出部
１０７  触感呈示部
１０９  記憶部
１１１  撮像部
１１３  制御部
１２１  指
ｔｒ１、ｔｒ２、ｔｒ３  時間範囲
ｔ１、ｔ２、ｔ３、ｔ４  閾値
ｗｒ１、ｗｒ２、ｗｒ３  荷重範囲
ｗ１、ｗ２、ｗ３、ｗ４  閾値
【図１】
2016009444.tif 000003
【図２】
2016009444.tif 000004
【図３】
2016009444.tif 000005
【図４】
2016009444.tif 000006
【図５】
2016009444.tif 000007
【図６】
2016009444.tif 000008
【図７】
2016009444.tif 000009
【図８】
2016009444.tif 000010
【図９】
2016009444.tif 000011